(57)【特許請求の範囲】
【請求項１】
光伝送路を介してフレーム信号を伝送する複数の光伝送装置と、前記複数の光伝送装置を管理する光伝送網管理装置とを有する光伝送システムにおいて、
前記光伝送網管理装置は、
監視処理すべき前記光伝送装置に対して、指定の監視処理を実行させるための監視情報を入力する監視情報入力部と、
前記監視情報入力部により入力された監視情報に基づいて、監視処理すべき前記光伝送装置に対して、前記光伝送路を介して伝送するフレーム信号の指定される領域に対して監視処理をさせる指示信号を送信する指示信号送信器とを有し、
前記光伝送装置は、
前記指示信号送信器により送信された指示信号を受信する指示信号受信器と、
前記指示信号受信器により受信した指示信号に基づき、前記光伝送路を介して伝送するフレーム信号の指定される領域に対して指定された監視処理を行う監視処理器とを有し、
前記複数の光伝送装置の中の１台の光伝送装置が、第１の監視区間および第２の監視区間の両方に含まれる場合、前記光伝送網管理装置の前記指示信号送信器は、
前記第１の監視区間のために前記フレーム信号の第１の領域を指定する指示信号を前記１台の光伝送装置に送信し、かつ、
前記第２の監視区間のために前記フレーム信号の第２の領域を指定する指示信号を前記１台の光伝送装置に送信することを特徴とする光伝送システム。
【請求項２】
請求項１の光伝送システムにおいて、
前記１台の伝送装置が、前記第１の監視区間の始点であり、かつ、前記第２の監視区間の終点である場合に、
前記指示信号送信器は、前記指示信号として前記１台の光伝送装置に対し、
前記１台の光伝送装置が前記光伝送路を介して伝送するフレーム信号の前記第１の領域に対して、指定された監視パラメータを挿入させる挿入指示信号と、
前記１台の光伝送装置が前記光伝送路を介して伝送するフレーム信号の前記第２の領域に格納された監視パラメータを終端させる終端指示信号と、を送信することを特徴とする光伝送システム。
【請求項３】
請求項１の光伝送システムにおいて、
前記監視処理すべき光伝送装置各々は、
前記光伝送路を介して伝送するフレーム信号の指定される領域に対して指定された監視処理を行う監視処理器と、
前記監視処理器により監視処理された結果を、前記光伝送網管理装置に送信する送信器とを有することを特徴とする光伝送システム。
【請求項４】
請求項１の光伝送システムにおいて、
前記監視情報は、
指定された性能監視又は指定された通信警報を実行するための監視項目情報と、
指定された監視処理を行うために特定される前記光伝送路を介して伝送するフレーム信号の領域を指定する領域指定情報とを含むことを特徴とする光伝送システム。
【請求項５】
請求項１の光伝送システムにおいて、
前記１台の光伝送装置が第３の監視区間の中継点である場合に、
前記指示信号送信器は、さらに、前記指示信号として、前記監視情報入力部により入力された監視情報に基づいて、前記１台の光伝送装置に対し、前記１台の光伝送装置が前記光伝送路を介して伝送するフレーム信号の第３の領域の監視パラメータを通過させる通過指示信号とを送信することを特徴とする光伝送システム。
【請求項６】
請求項２の光伝送システムにおいて、
前記１台の光伝送装置の前記監視処理器は、
受信した前記挿入指示信号に基づき、前記光伝送路を介して伝送するフレーム信号の前記第１の領域に対して指定された監視パラメータを選択挿入し、
受信した前記終端指示信号に基づき、前記光伝送路を介して伝送するフレーム信号の前記第２の領域の監視パラメータを終端させることを特徴とする光伝送システム。
【請求項７】
請求項５の光伝送システムにおいて、
前記１台の光伝送装置の前記監視処理器は、受信した前記通過指示信号に基づき、前記光伝送路を介して伝送するフレーム信号の第３の領域の監視パラメータを通過させることを特徴とする光伝送システム。
【請求項８】
請求項１の光伝送システムにおいて、
前記指示信号送信器は、複数の異なる光波長のフレーム信号が多重化された信号が前記光伝送路を介して伝送される場合は、前記監視情報に基づいて、前記光伝送路を介して伝送するフレーム信号の領域を光波長単位に指定し、指定されたフレーム信号上の領域を監視パラメータとして監視処理させる指示信号を送信することを特徴とする光伝送システム。
【請求項９】
請求項１の光伝送システムにおいて、
前記光伝送網管理装置は、前記送信器により送信された監視の結果を出力する出力部を有することを特徴とする光伝送システム。
【発明の詳細な説明】
【０００１】
【発明の属する技術分野】
本発明は、光伝送網管理装置、光伝送装置、これら装置を含む光伝送システム、光伝送網監視方法、監視代行サービスに関するものである。
【０００２】
【従来の技術】
光伝送網管理区間の監視方法としては、ＳＤＨ（Ｓｙｎｃｈｒｏｎｏｕｓ  Ｄｉｇｉｔａｌ  Ｈｉｅｒａｒｃｈｙ）に準拠した規格として国際電気通信連合（ＩＴＵ−Ｔ）が勧告G.７０７がある。この勧告では、再生中継器区間毎のＲセクション監視方法、多重端局装置区間毎のＭセクション監視方法、パス監視方法及びタンデムコネクション監視方法等の固定的な監視方法か１レイヤのタンデムコネクション監視方法が規定されている。
【０００３】
これに対して、特開平９−３２１７２９号公報には、オーバーヘッドの任意の領域に含まれる監視保守用情報を終端させずに送受信を可能とする光伝送装置の構成が開示されている。
【０００４】
また、特開平１１−１９１７５４号公報には、光パスインターフェース部により、試験専用信号を合波あるいは分波して指定される伝送区間の監視試験を行う構成が開示されている。
【０００５】
【発明が解決しようとする課題】
現在の急速な通信市場の需要が変化する環境下では、光伝送路を介して光信号を伝送する複数の光伝送装置を含む光伝送網において、複数の監視区間が設定され、さらに、オペレーターにより任意に指定される伝送区間に含まれる光伝送装置に対して、指定される監視処理ができ、監視区間の設定又は変更を任意にかつフレキシブルにできるような技術が期待される。
【０００６】
ここで、特開平９−３２１７２９号公報に示された光伝送装置は、オーバーヘッドの終端処理を行うことを前提とする光伝送装置に対して、終端させないように指示する網管理装置が開示されているが、任意の伝送区間を監視処理できない。
また、特開平１１−１９１７５４号公報に示された波長多重光ネットワークは、試験専用の信号をルーティング又はループバックすることによって、指定区間の導通確認を行うことができる構成であるが、監視すべき伝送区間について任意に設定でき、監視処理する一括管理する光伝送網管理装置が開示されていない。
【０００７】
本発明の課題は、光伝送路を介して光信号を伝送する複数の光伝送装置を含む光伝送網において、複数の監視区間が設定できる技術を提供する。また、オペレーターにより任意に指定される伝送区間に含まれる光伝送装置に対して、指定される監視処理ができ、伝送網の監視保守運用能力を向上させることができるような技術を提供する。また、このように指定される監視区間を任意にかつフレキシブルに設定又は変更することが可能な光伝送システムを提供することにより、光伝送網を用いて通信事業を行う通信事業者が、その光伝送網を構成する光伝送区間の一部を、他の通信事業者に対して提供する光伝送区間提供サービスを提供することにある。
【０００８】
【課題を解決するための手段】
上述した課題を解決するために、本発明における  光伝送路を介してフレーム信号を伝送する複数の光伝送装置と、前記複数の光伝送装置を管理する光伝送網管理装置とを有する光伝送システムにおいて、前記光伝送網管理装置は、監視処理すべき前記光伝送装置に対して、指定の監視処理を実行させるための監視情報を入力する監視情報入力部と、前記監視情報入力部により入力された監視情報に基づいて、少なくとも監視の始点となる光伝送装置に対し、前記光伝送路を介して伝送するフレーム信号の指定される領域に対して指定された監視処理をさせる指示信号を送信する指示信号送信器とを有し、前記指示信号を受信した光伝送装置は、受信した指示信号に基づき、前記光伝送路を介して伝送するフレーム信号の指定される領域に対して指定された監視処理を行う監視処理器とを有することを特徴とする。
【０００９】
さらに、本発明は、光伝送路と、前記光伝送路を介して光信号を伝送する複数の光伝送装置とを有する光伝送網を用いて通信事業を行う第1の通信事業者が、前記複数の光伝送装置の中の第1の光伝送装置と第2の光伝送装置とを含む光伝送区間を、第2の通信事業者に対して提供する光伝送区間提供サービスを開示する。
【００１０】
【発明の実施の形態】
本実施例である光伝送網管理装置１０および光伝送装置１００を用いた光伝送システムについて、以下に、図面を用いながら詳細に説明する。
【００１１】
本発明における実施形態では、光伝送網における複数の伝送区間ごとに監視処理の設定及び監視すべき伝送区間の変更をフレキシブルにすることができ、ひいては伝送網の監視保守運用能力を向上させることができる。
【００１２】
図１は、本実施例である光伝送システムを示す構成図である。
この光伝送システムは、光伝送路１４を介して伝送信号５２（伝送装置内では、フレーム化された信号。以下同じ。）を伝送する複数の光伝送装置１００と、前記複数の光伝送装置１００を管理する光伝送網管理装置１０とを有する。ここで、光伝送路１４を介して伝送信号方式は、単一光伝送路を介して光波長分割された多重信号伝送する方式である。なお、光伝送路１４は、単一信号を複数の光伝送路を介して伝送する方式であってもよい。また、光伝送路１４は、複数の光伝送路を介して伝送する方式であって、そのうち一部の光伝送路に対しては光多重信号を伝送し、他の光伝送路に対しては単一信号を伝送する方式でもよい。
【００１３】
図２は、本実施例である光伝送網管理装置１０を示すブロック構成図である。この光伝送網管理装置１０は、光伝送路１４を介して伝送信号５２を伝送する複数の光伝送装置１００を管理する光伝送網管理装置１０であって、監視処理すべき光伝送装置１００に対して、指定の監視処理を実行させるための監視情報５０を入力する監視情報入力部１１と、入力された監視情報５０に基づいて指定された監視処理をさせる指示信号５１を送信する指示信号送信器１３と、監視処理した結果を記憶する記憶部と、記憶部に記憶された監視処理した結果を出力する出力部１２とを有する。尚、監視区間ごとの通信金を課金処理する課金処理部１４をそなえてもよい。
【００１４】
監視情報入力部１１に入力される監視情報５０は、監視処理すべき光伝送装置１００のうち、少なくとも監視の始点となる光伝送装置１００又は監視の終点となる光伝送装置１００に対して、指定された監視処理を実行させるための監視情報５０であればよい。ここで、監視区間を特定するためには、監視の始点と、監視の終点と、監視の経路が必要である。従って、監視情報５０として、監視の始点と、監視の終点と、監視の経路を特定するための監視区間情報が必要である。前記指示信号５１は、光伝送路１４を介して伝送する伝送信号５２の特定の領域Ｈに対して、指定の監視パラメータの挿入、通過又は終端処理させるように指示する信号である。ここで、光伝送装置１００各々に対して送信する指示信号５１について、以下詳細に説明する。指定された監視区間のうち監視の始点となる光伝送装置１００に対して送信する指示信号５１は、光伝送装置１００が光伝送路１４を介して伝送する伝送信号５２の指定される領域Ｈに対して、指定された監視パラメータを挿入させるように指示するための信号である。指定された監視区間のうち監視の終点となる光伝送装置１００に対して送信する指示信号５１は、光伝送装置１００が前記光伝送路１４を介して伝送する伝送信号５２の指定される領域Ｈの監視パラメータを終端させるように指示する信号である。ただし、終端の指示対象となる光伝送装置１００が、光伝送路１４を介して伝送する伝送信号５２の指定される領域Ｈの保守情報を終端させるように設定されている場合は、終端の指示信号５１を送信する必要はない。監視区間のうち監視の始点及び終点を除く中継点となる光伝送装置１００に対して送信する指示信号５１は、光伝送路１４を介して伝送する伝送信号５２の指定される領域Ｈの監視パラメータを通過させる通過させるように指示する信号である。ただし、通過の指示対象となる光伝送装置１００が、光伝送路１４を介して伝送する伝送信号５２の指定される領域Ｈの保守情報を通過させるように設定されている場合は、通過の指示信号５１を送信する必要はない。ここで、監視処理に用いる伝送信号５２上の特定の領域Ｈは、光伝送網管理装置１０によって入力された監視情報５０ごとに指定される。ただし、監視区間として複数設定される場合であって、監視区間に含まれる光伝送装置１００の一部が重複するときは、相互に伝送信号５２上の異なる領域Ｈが指定される。これにより、複数の監視区間の指示信号５１を受信した光伝送装置１００は、監視区間ごとに指定された領域Ｈを用いることにより、それぞれの指示信号５１に従った監視処理を行うことができる。なお、監視処理に用いる伝送信号５２は、特定の光波長を持った監視専用の信号であってもよい。さらに、これら監視処理に用いる信号の指定方法は、オペレーターにより、任意に切替えることができる構成であってもよい。また、監視処理に用いられる伝送信号５２上の特定の領域Ｈは、例えば、オーバーヘッド等の冗長領域Ｈにおける空きバイト等が利用される。ここで、監視パラメータとは、オペレーターにより指定された性能監視又は指定された通信警報を実行するための監視項目情報により指示される具体的に監視処理に用いる監視保守情報である。
【００１５】
前記出力部１２は、前記複数の光伝送装置１００各々から受信した監視処理をした結果５３を出力部１２に出力する。
【００１６】
図３は、本実施例である光伝送網管理装置１０に設定される、オペレーターにより入力される監視情報５０の例示である。
【００１７】
図４は、監視区間と光伝送網の論理的構成を表現する光パスを簡略的に図式化したものである。
【００１８】
監視区間情報とは、オペレーターにより入力され、監視区間を指定するための監視情報５０であって、光伝送網管理装置１０において監視区間を特定するための監視情報５０である。監視区間情報は、監視処理すべき前記光伝送装置１００のうち、監視の始点となる光伝送装置１００、監視の終点となる光伝送装置１００又は監視の伝送経路とのいずれか1つを特定するための情報であってもよい。光伝送網管理装置１０において監視区間を特定するための情報を予め保持している場合は、いずれか1つであっても監視区間を特定できるからである。
監視方向情報とは、監視処理を行う伝送信号５２の方向を指定するための監視情報５０である。具体的には、一方向の（Uni-directional）監視する方式と、双方向の（bi-directional）監視する方式とを指定するための情報である。例えば、第1の光伝送装置１００から第2の光伝送装置１００との区間を示す監視区間が指定された場合であって、一方向の監視方式を指定したときには、第1の光伝送装置１００は監視の始点、第2の光伝送装置１００は監視の終点として機能を果たすように指定され、又指定双方向の監視方式を指定したときには、第1の光伝送装置１００及び第2の光伝送装置１００は、各々監視の始点及び監視の終点として機能を果たすように指定される。
【００１９】
監視項目情報とは、オペレーターにより入力され、予め定められた性能監視又は通信警報を実行するための監視項目を指定するための監視情報５０であって、例えば、監視処理に用いる監視パラメータ（監視保守情報）を指定するための監視情報５０である。
【００２０】
例えば、性能監視としては、エラー数（CV），エラーの存在する時間（秒）（ES 、SES），伝送信号５２同期外れの存在する時間（秒）（SEFS），サービス不能時間（秒）（UAS）等である。また、通信警報としては、光受信断警報（LOS），伝送信号５２同期外れ警報（LOF），Near Endの障害警報（AIS），Far End の障害警報（RDI），BERのしきい値超過（BER超過），TIM等である。
監視波長情報とは、オペレーターにより入力され、光伝送路１４を介して伝送される光信号が複数の光波長（λ１、λ２、λ３、…λi）からなる伝送信号５２が多重化された信号である場合に、それぞれ異なる光波長の光信号を用いて監視処理するように光伝送装置１００各々に対して指示するために設定される情報であって、例えば、監視処理に用いる光波長信号の光波長の指定する情報又は監視処理に用いる光波長信号の信号数等を指定するための情報である。ただし、光伝送網管理装置１０で、指定された順番等により監視処理に用いる信号の特定を自動的に行う等の場合は、オペレーターは監視波長情報を入力しない構成にしてもよい。なお、異なる光波長信号に対して共通の監視情報５０を一括的に設定してもよい。
【００２１】
これら監視情報５０に基づいて、光伝送網管理装置１０は、指定された監視区間に含まれる光伝送装置１００を特定し、特定された光伝送装置１００各々に対し、監視情報５０に含まれる監視項目情報により指定された監視パラメータを用いて監視処理が行われるように指示信号５１を生成し、送信する。なお、指示信号５１により指示される監視処理の内容と同一の監視の内容が、既に光伝送装置１００の設定とされている光伝送装置１００に対しては、指示信号５１を送信しないような構成としてもよい。かかる場合には、光伝送装置１００各々に設定されている監視処理の内容を、光伝送網管理装置１０内に記憶しておくことにより、入力された監視処理の内容と記憶された設定内容とを比較することにより、光伝送装置１００各々に対して指示信号５１の送信が必要かどうかの判断を行う。
【００２２】
以下、伝送信号５２が異なる光波長が多重化された光多重信号である場合において、波長単位に伝送される伝送信号５２の特定の領域Ｈを指定して、監視処理を行う場合の実施例を、図３及び図４を用いて説明していく。ここでは、光伝送網管理装置１０が、光伝送装置１００各々に対して、特定の光波長の伝送信号５２を用いて監視処理するように指示する実施例を以下に示す。
光伝送網を構成する複数の光伝送装置１００のうち光伝送装置１００aから光伝送装置１００eの伝送区間の設定（設定カテゴリー（以下、「設定S」という。）１）を考える。
【００２３】
設定S１における監視波長情報は異なる２つの波長（λ１、λ２）が指定されている。したがって、この監視波長情報により光伝送網管理装置１０は、監視に用いる光波長（λ１、λ２）を特定する。なお、この監視に用いる光波長の特定は、上述したように光伝送網管理装置１０において自動的に行われる構成であってもよい。次に、光伝送網管理装置１０は、特定された光波長（λ１、λ２）の伝送信号５２を用いて監視処理をさせるように、設定S１の監視区間に含まれる光伝送装置１００に対して、指示信号５１を送信する。
同様に、監視波長情報に基づき、光伝送装置１００aから光伝送装置１００cの区間の設定（設定S２）では、光伝送網管理装置１０は、異なる２つの光波長（λ１、λ３）の伝送信号５２を用いて監視処理するように指示し、光伝送装置１００bから光伝送装置１００dの区間の設定（設定S３）では、１つの光波長（λ２）の伝送信号５２を用いて監視処理するように指示し、光伝送装置１００cから光伝送装置１００eの区間の設定（設定S４）では、３つの光波長（λ３、λ４、λ５）の伝送信号５２を用いて監視処理するようにする。
【００２４】
図５、図６及び図７は、本発明の実施例である光伝送装置の構成を示すブロック構成図である。図５及び図６に示す光伝送装置１００及び１０１は、複数個のオーバーヘッドと多重化された主信号からなる低速の多重化信号と２個のオーバーヘッドと多重化された主信号からなる高速の多重化信号を収容し、複数個の低速の多重化された主信号を高速の多重化された主信号に挿入（アッド）したり、高速の多重化された主信号から複数個の低速の多重化された主信号を分岐（ドロップ）したり、高速の多重化された主信号同士の入れ替え（クロスコネクト）や通過（スルー）を実施する多重分離装置（ＡＤM装置）である。一方、図７に示す光伝送装置１０２は、複数個の低速の多重化された主信号と高速の多重化された主信号との間でアッド及びドロップしない中継器専用タイプである。本実施例である光伝送装置は、必要に応じて図５、図６又は図７に示す光伝送装置１００、１０１又は１０２のいずれか採用される。尚、本実施例の光伝送システムは、図５に示す伝送装置１００を代表として採用し説明している。なお、伝送信号５２の速度等はＳＤＨで規定されていないものであっても構わないし、収容する多重化信号の数は、収容する多重化信号の種類により変えることができるものである。
【００２５】
図５は、本実施例である光伝送装置１００の一実施例である。
図５に示す光伝送装置１００は、受信した光信号を電気信号に変換しないで処理を行う光型XC／ADMタイプである。即ち、受信した波長多重信号は、異なる光波長信号毎に分離され、光波長信号のまま回線交換等の処理を行う光伝送装置１００である。尚、本実施例である光型XC／ADMタイプの光伝送装置１００であっても、オーバーヘッドの生成及び挿入の処理は電気信号で処理される必要があるため、回線交換、光多重化分離処理する回線交換部／多重・分離部（XC／ADM１３０）とオーバーヘッド処理を行うオーバーヘッド処理部（OH Term１２０）の間の信号のやり取りは光−電気信号間の変換を行い処理される。
【００２６】
図５に示す光伝送装置１００は、受信した複数個の光信号を合波し波長多重信号を出力する波長合波器（MUX１４１）と、受信した波長多重信号を異なる波長毎に分離し、複数個の光信号に出力する波長分波器（DMUX１４０）と、受信した電気信号を光信号に変換出力する電気−光変換器（E／O１５１）と、受信した光信号を電気信号に変換出力する光−電気変換器（O／E１５０）と、受信した複数個の電気信号のオーバーヘッドの特定の帯域Hを用いて指定された監視処理を行うオーバーヘッド処理部（OH Term１２０）と、受信した光波長信号の回線交換し、監視すべき光波長信号のアッド・ドロップを行う回線交換部（XC／ADM１３０）と、複数の監視パラメータを格納し、指定された監視パラメータを選択挿入する挿入オーバーヘッド選択部（SEL１２１）と、終端処理のため監視パラメータの抽出処理を行う抽出情報処理部（EXT１２２）と、光伝送網管理装置１０からの監視処理を実行させるための指示信号５１を受信する受信器と、受信した指示信号５１に基づいて、指定された監視処理を行うように各部を制御する制御部１１０（Controller）とを有する。
【００２７】
また、図５において、伝送信号５３を送受するための光伝送路ポート１６１を備えている（以下、図６の光伝送装置１０１でも同じ）。尚、光伝送路ポート１６０、１６１の数は、任意に備えてもよい（以下、図６及び図７においても同じ）。
【００２８】
図５に示す光伝送装置１００が、光伝送網管理装置１０から受信した指定の監視処理を実行させるための指示信号５１に基づき、指定された監視処理を行う実施形態を詳しく説明する。
【００２９】
まず、光伝送網管理装置１０から指示信号５１を受信した制御部１１０は、指示信号５１に基づき、監視処理に用いるオーバーヘッド帯域Hと、監視処理に用いる監視パラメータを特定し、特定された帯域Hごとに監視処理として監視パラメータの挿入、通過又は終端処理すべきかを判断する。
監視処理として挿入処理すべきと判断した制御部１１０は、監視処理すべき光波長信号をOH Term１２０へ出力するようにXC／ADM１３０を制御し、指定された監視パラメータをSEL１２１から選択し、出力された光波長信号上の特定された帯域Hに挿入させるようにOH Term１２０を制御する。
監視処理として終端処理すべきと判断した制御部１１０は、監視処理すべき光波長信号をOH Term１２０へ出力するようにXC／ADM１３０を制御し、出力された光波長信号上の特定された帯域Hに含まれる監視パラメータを抽出し、EXT１２２に終端させるようにOH Term１２０を制御する。
監視処理として通過処理すべきと判断した制御部１１０は、特定された帯域Hに含まれる監視パラメータを終端させずに通過させるように、XC／ADM１３０とOH Term１２０を制御する。
このようにして、制御部１１０により、XC／ADM１３０とOH Term１２０は、特定された帯域Hごとに指定された監視処理ができる状態となるように制御される。
【００３０】
一方、光伝送路ポート１６０を介して光波長多重信号を受信したDMUX１４０は、受信した光波長多重信号を複数の異なる光波長信号に分離し、XC／ADM１３０に出力する。
この光波長信号を受信したXC／ADM１３０は、制御部１１０による制御に従い、特定の帯域Hごとに、指定された監視パラメータの監視処理を行う。即ち、XC／ADM１３０は、挿入処理すべき光波長信号をOH Term１２０へ出力する。挿入処理すべき光波長信号を受信したOH Term１２０は、指定された監視パラメータをSEL１２１から選択し、出力された光波長信号上の特定された帯域Hに挿入する。また、XC／ADM１３０は、終端処理すべき光波長信号をOH Term１２０へ出力する。終端処理すべき光波長信号を受信したOH Term１２０は、出力された光波長信号上の指定された帯域Hに含まれる監視パラメータを抽出し、EXT１２２に格納し、終端させる。
【００３１】
さらに、XC／ADM１３０は、通過処理すべき光波長信号をOH Term１２０へ出力する。通過処理すべき光波長信号を受信したOH Term１２０は、出力された光波長信号上の指定された帯域Hに含まれる監視パラメータを抽出し、指定された帯域Hに挿入する。尚、監視パラメータを抽出・挿入する帯域Hの位置がそのままでかつこの帯域に含まれる監視パラメータをモニタせず通過処理するように指示信号により指示されているときは、指示された伝送装置１００の制御部１１０は、伝送信号５２が監視パラメータを抽出・挿入する帯域Hの位置を変わる光波長信号又は帯域Hに含まれる監視パラメータをモニタする必要がある光波長信号でない場合に、このような光伝送信号５２をOH Term１２０へ出力することなく、所望パスへ回線交換をするようにXC／ADM１３０を制御する。この場合、XC／ADM１３０は、その制御に従い、このような伝送信号５２受信したときは、OH Term１２０へ出力することなく、所望パスへ回線交換してもよい。
監視処理が行われた光波長信号は、所望の光伝送路ポート１６０へ回線交換される。XC／ADM１３０による回線交換は、光伝送路ポート１６０の交換、光伝送路ポート１６１の交換又は光波長の交換いずれでもよい。
【００３２】
例えば、ある波長信号に対して光回線交換（光伝送路ポート１６０の交換の場合）及び監視処理する場合は、光信号を一旦O／E１５０を介してOH Term１２０へ出力され、OH Term１２０でオーバーヘッド処理（オーバーヘッド情報の抽出、モニタ及び挿入）した後、E／O１５１を経てXC／ADM１３０に戻して、所定の光伝送路ポート１６０へと交換を実行する。
【００３３】
また、ある波長信号に対して光回線交換（波長の交換の場合）及び監視する場合は、光信号を一旦O／E１５０を介してOH Term１２０へ出力され、OH Term１２０でオーバーヘッド処理（オーバーヘッド情報の抽出、モニタ及び挿入）した後、E／O１５１で波長変換してXC／ADM１３０に戻して、MUX１４１へと出力する。
さらに、ある光波長信号をドロップ及び監視する場合は、光信号をO／E１５０を介してOH Term１２０へ出力され、OH Term１２０でオーバーヘッド処理（オーバーヘッド情報の抽出及びモニタ）した後、E／O１５１を経てドロップ側の光伝送路ポート１６１に出力する。
最後にアッド側の光伝送路１４からの光信号をアッド及び監視する場合は、光信号をOH Term１２０でオーバーヘッド処理（オーバーヘッド情報の挿入）した後、E／O１５１で波長変換してXC／ADM１３０に受信してMUX１４１へと出力する。
【００３４】
OH Term１２０は、受信した伝送信号５２の指定された帯域Hに含まれる監視パラメータをモニタする。尚、監視情報５０として、特定の領域Hに含まれる監視パラメータをモニタするかどうかの情報も含むようにしてもよい。監視情報５０が、モニタ要とする場合は、光伝送網管理装置１０は、光伝送装置１００に対して、特定の領域Hに含まれる監視パラメータをモニタするように指示信号を送信する。
【００３５】
OH Term１２０は、SEL１２１に含まれる監視パラメータから、指示信号により指定された監視パラメータを選択することができる。また、XC／ADM１３０は、指定された領域Hに含まれる監視パラメータを抽出し、EXT１２２へと転送する。EXT１２２は、受信した監視パラメータの終端処理を行う。ここで、終端処理とは、監視区間の監視保守運用に関する処理であって、例えば、エラー検出コードを用いて主信号上のエラー数を検出し、通信警報を検出し、検出したエラー数に基いた性能監視やBER超過の検出を行う処理である。なお、OH Term１２０又はXC／ADM１３０は、受信した信号のペイロード帯域Hに所定の操作を施してもよい。
【００３６】
図６は、本実施例である光伝送装置１０１である。
図６に示す光伝送装置１０１は、受信した光信号を電気信号に変換して処理を行う電気型XC／ADMタイプである。即ち、受信した光波長多重信号を異なる波長毎に分離し複数個の光信号を電気信号に変換し、オーバーヘッド処理部（OH Term１２０）及び回線交換部（XC／ADM１３０）へ出力処理されるタイプである。
【００３７】
図６に示す光伝送装置１０１は、図５に示す光伝送装置１００と比べ、XC／ADM１３０に出力される信号が光信号でなく電気信号である点以外が相違するが、その他の構成及び機能はほぼ同様である。
【００３８】
図７は、本実施例である光伝送装置１０２である。
図７に示す光伝送装置１０２は、中継器専用として用いられる。
【００３９】
図７に示す光伝送装置１０２は、図６に示す光伝送装置１０１と比べると、複数個の低速の多重化された主信号と高速の多重化された主信号との間でアッド及びドロップする構成及び機能（ＡＤＭ）がない点で相違するが、その他の構成及び機能は同様である。
【００４０】
以上、本発明による光伝送装置１００とそれを用いた伝送網あるいは伝送システムをもちいると、光伝送網の任意の複数の監視区間をフレキシブルに設定又は変更することが可能で、その各々の通信品質を同時に監視可能な光伝送システムを提供することができる。
【００４１】
以下に、本実施例である光伝送システムの実行手順を示す流れ図を用いて説明していく。
図８は、本実施例である光伝送網管理装置１０における実施例１を示すフローチャートである。
【００４２】
１）オペレーター等により、監視区間と指定の監視処理を実行させるための監視情報５０を、光伝送網管理装置１０に入力する（S８０１）。
尚、監視情報５０の入力は、光伝送網管理装置１０とは別に入力手段、例えば端末等を介して間接的又は遠隔的に行うようにしてもよい。
【００４３】
２）光伝送網管理装置１０は、入力された監視情報５０に基づき、監視区間に含まれる監視対象となる光伝送装置１００と、監視処理に用いるための伝送信号５２上の領域Ｈと、指定された監視項目とを特定する。監視処理の対象となる光伝送装置１００は、具体的には、監視の始点となる光伝送装置１００、監視の終点となる光伝送装置１００又は監視の中継となる光伝送装置１００かを特定する（S８０２）。尚、これら特定された情報は、光伝送網管理装置１０内の記憶装置に記憶される。オペレーターにより、再び監視情報５０が入力される場合は、この記憶装置に記憶された情報を利用することにより、例えば、監視区間の監視の始点のみを変更したい場合にあっては、過去の監視の終点や監視項目情報をそのまま利用することで、オペレーターの入力操作の簡素化が図れる。
【００４４】
３）光伝送網管理装置１０は、監視の対象となる光伝送装置１００に対して、指定された監視処理を実行させるための指示信号５１を生成し、各光伝送装置１００に送信する。具体的には、監視の始点となる光伝送装置１００には、伝送信号５２上の指定された領域Ｈに指定された監視パラメータを生成挿入するように指示する信号を生成する。監視の終点となる光伝送装置１００には、伝送信号５２の特定の領域Ｈに含まれる監視パラメータを抽出し、終端処理するように指示する信号を生成する。監視の中継となる光伝送装置１００には、特定の領域Ｈに含まれる監視パラメータをそのまま通過させるように指示する信号を生成する（S８０３）。
【００４５】
４）光伝送網管理装置１０は、生成された指示信号５１を各光伝送装置１００に対して送信する（S８０４）。
【００４６】
図９は、本実施例である光伝送装置１００の制御部１１０による制御の実行手順を示すフローチャートである。
【００４７】
１）光伝送装置１００は、受信した指示信号５１に基づいて、監視処理に用いる伝送信号５２上の領域Ｈと、指定された監視処理とを特定する（S９０１、S９０２）。
【００４８】
２）XC／ADM１３０及びOH Term１２０に対して、特定された領域Ｈを用いて指定された監視処理を実行するように制御する。具体的には、XC／ADM１３０に対しては、指定された領域Ｈを含む伝送信号５２を受信した場合には、OH Term１２０に指定された領域Ｈを含む伝送信号５２を出力するように制御する（S９０３）。尚、監視パラメータを終端させず通過させるように指定された領域Ｈを含む伝送信号５２かどうかは判断しないでOH Term１２０へ出力せずに所望の光伝送路ポート１６０へ回線交換するようにしてもよい。また、指定された領域Ｈが、指定の光波長を有する伝送信号５２上に指定されている場合には、指定された領域Ｈを含む指定された光波長を有する伝送信号５２を、OH Term１２０へ出力するようにXC／ADM１３０を制御する。
【００４９】
３）一方、OH Term１２０に対しては、監視の始点として指示された光伝送装置１００では、指定された監視パラメータをSEL１２１から選択抽出し、指定された領域Ｈにこの監視パラメータを挿入するように制御する。また、監視の終点として指示された光伝送装置１００では、指定された領域Ｈに含まれる監視パラメータを抽出し、EXT１２２に終端させるように制御する。さらに、監視の中継点として指示された光伝送装置１００では、指定された領域Ｈに含まれる監視パラメータを終端させず通過させるように制御する（S９０４）。
【００５０】
図１０は、本実施例である光伝送装置１００の監視処理の実行手順を示すフローチャートである。
【００５１】
１）まず、制御部１１０により制御されたXC／ADM１３０及びOH Term１２０を備えた光伝送装置１００が、光伝送路１４を介して伝送される光信号を受信する（S１００１）。伝送信号５２が光波長信号である場合には、DMUX１４０により複数の異なる光波長信号に分離される。受信された光信号はO／E１５０により電気信号に変換される。
【００５２】
２）変換された伝送信号５２は、XC／ADM１３０へ出力される。伝送信号５２を受信したXC／ADM１３０は、制御部１１０により指定された領域Ｈを含む伝送信号５２であるかどうかを判断する（S１００２）。なお、指定された領域Ｈが、指定の光波長を有する伝送信号５２上に指定されている場合には、XC／ADM１３０は、指定された領域Ｈを含む指定された光波長を有する伝送信号５２（電気信号へ変換される前の光波長信号）があるかどうかを判断する。
【００５３】
３）XC／ADM１３０は、指定された領域Ｈを含む伝送信号５２であると判断した場合には、OH Term１２０へ出力する（S１００３）。
【００５４】
４）伝送信号５２を受信したOH Term１２０は、指定された領域Ｈに対する指定された監視処理を実行する（S１００４）。即ち、指定された領域Ｈに監視パラメータを挿入指示された光伝送装置１００（監視の始点）では、OH Term１２０は、指定された監視パラメータをSEL１２１から選択抽出し、指定された領域Ｈにこの監視パラメータを挿入する。また、指定された領域Ｈに含まれる監視パラメータを終端指示された光伝送装置１００（監視の終点）では、OH Term１２０は、指定された領域Ｈに含まれる監視パラメータを抽出し、EXT１２２に終端させる。さらに、指定された領域Ｈに含まれる監視パラメータをそのままで通過指示された光伝送装置１００（監視の中継点）では、OH Term１２０は、指定された領域Ｈに含まれる監視パラメータを終端させず通過させる。
【００５５】
５）光伝送装置１００は、監視区間ごとに監視処理された結果を光伝送網管理装置１０へ送信する（S１００５）。監視の結果５３は、伝送信号５２の指定された領域Ｈをモニタすることにより、演算又は加工する。この監視の結果５３は、モニタをした光伝送装置１００各々が、光伝送網管理装置１０へ送信する。尚、指定された領域Ｈの監視パラメータを終端処理した光伝送装置１００が、当該指定された領域Ｈの監視パラメータをモニタすることにより、監視区間ごとの監視の結果５３を集計し、光伝送網管理装置１０へ送信してもよい。
【００５６】
６）監視処理が行われた光波長信号は、XC／ADM１３０又はOH Term１２０により所望の光伝送路ポート１６０へ回線交換される（S１００６）。
【００５７】
以下、本願発明の光伝送システムの実施例１を、図３乃至図４に示す設定例にとして、具体的に説明していく。
まず、本実施例である設定S１の監視区間（双方向監視方式であって、監視の始点及び終点である光伝送装置１００a及び光伝送装置１００eの光伝送装置１００区間）を例にして説明する。
【００５８】
１）光伝送網管理装置１０は、設定S１の監視区間内の光伝送装置１００a、b、c、及びeの各々に対して、設定S１の監視区間へ伝送される伝送信号５２の指定された領域Ｈｉ（Ｈｉ∈ Ｈ１〜Ｈｓ）を、設定S１の監視項目情報により指定される監視パラメータを用いて監視処理するように指示信号５１を送信する。
具体的には、設定S１の監視の始点である光伝送装置１００a及びeに対しては、指定された領域Ｈを含む伝送信号５２が当該監視区間に入力される（つまり、図面において、光伝送装置１００aの右の光伝送路１４又は光伝送装置１００eの左の光伝送路１４を介して受信される）場合には、受信した伝送信号５２の指定された領域Ｈｉへ指定された監視パラメータを生成挿入するような指示信号５１を送信する。また、設定S１の監視の終点である光伝送装置１００a及びeに対しては、指定された領域Ｈを含む伝送信号５２を、当該監視区間から出力される（つまり、図面において、光伝送装置１００aの左の光伝送路１４又は光伝送装置１００eの右の光伝送路１４を介して受信される）場合には、受信した伝送信号５２の指定された領域Ｈｉに含まれる監視パラメータを抽出終端するような指示信号５１を送信する。さらに、設定S１の監視の中継点である光伝送装置１００b、c及びdに対しては、指定された領域Ｈを含む伝送信号５２を受信した場合には、受信した伝送信号５２の指定された領域Ｈｉに含まれる監視パラメータを終端させずにモニタし、通過処理するように指示信号５１を送信する。
【００５９】
２）この指示信号５１を受信した光伝送装置１００各々の制御部１１０は、受信した指示信号５１に従い、XC／ADM１３０及びOH Term１２０に対して指定された監視処理を行うように制御する。具体的には、設定S１の監視の始点である光伝送装置１００a及びeの制御部１１０は、当該監視区間に入力される（つまり、図面において、光伝送装置１００aの左の光伝送路１４又は光伝送装置１００eの右の光伝送路１４を介して）信号であって、指定された領域Ｈを含む伝送信号５２を受信した場合には、受信した伝送信号５２をOH Term１２０へ出力するようにXC／ADM１３０を制御するとともに、受信した伝送信号５２の指定された領域Ｈｉへ指定された監視パラメータを生成挿入するようにOH Term１２０を制御する。また、設定S１の監視の終点である光伝送装置１００a及びeの制御部１１０は、指定された領域Ｈを含む伝送信号５２を、当該監視区間から出力される（つまり、図面において、光伝送装置１００aの右の光伝送路１４又は光伝送装置１００eの左の光伝送路１４を介して）受信した場合には、受信した伝送信号５２をOH Term１２０へ出力するようにXC／ADM１３０を制御するとともに、受信した伝送信号５２の指定された領域Ｈｉに含まれる監視パラメータを抽出し、終端するようにOH Term１２０を制御する。さらに、設定S１の監視の中継点である光伝送装置１００b、c及びdの制御部１１０は、指定された領域Ｈを含む伝送信号５２を受信した場合には、受信した伝送信号５２をOH Term１２０へ出力するようにXC／ADM１３０を制御するとともに、受信した伝送信号５２の指定された領域Ｈｉに含まれる監視パラメータを終端させずに通過処理するようにOH Term１２０を制御する。なお、上述しなように、中継点である光伝送装置１００b、c及びdの制御部１１０は、指定された領域Ｈを含む伝送信号５２を受信した場合には、受信した伝送信号５２をOH Term１２０へ出力するようにXC／ADM１３０を制御せずに、指定された領域Ｈｉを含む伝送信号５２をそのまま所望の伝送ポートへ回線交換する構成でもよい。なお、各光伝送装置１００において、制御する内容を記憶装置に記憶してもよい。このように制御内容を記憶することにより、以前に制御された内容と比較して変更点のみ新たに制御変更する構成を取ることにより、制御完了の迅速化が図れる。
【００６０】
３）設定Ｓ１の監視区間内にある光伝送装置１００a乃至eにおいて、制御部１１０による制御が完了した後、光伝送装置１００a乃至eは監視処理を開始することができる。具体的には、設定S１の監視の始点である光伝送装置１００a及びeにおいて、XC／ADM１３０は、当該監視区間に入力される（つまり、図面において、光伝送装置１００aの左の光伝送路１４又は光伝送装置１００eの右の光伝送路１４を介して）信号であって、指定された領域Ｈを含む伝送信号５２を受信した場合には、受信した伝送信号５２をOH Term１２０へ出力するとともに、OH Term１２０は、受信した伝送信号５２の指定された領域Ｈｉへ指定された監視パラメータを生成挿入する。また、設定S１の監視の終点である光伝送装置１００a及びeにおいては、XC／ADM１３０は、指定された領域Ｈを含む伝送信号５２を、当該監視区間から出力される（つまり、図面において、光伝送装置１００aの右の光伝送路１４又は光伝送装置１００eの左の光伝送路１４を介して）受信した場合には、受信した伝送信号５２をOH Term１２０へ出力するとともに、OH Term１２０は、受信した伝送信号５２の指定された領域Ｈｉに含まれる監視パラメータを抽出し、終端する。さらに、設定S１の監視の中継点である光伝送装置１００b、c及びdにおいては、XC／ADM１３０は、指定された領域Ｈを含む伝送信号５２を受信した場合には、受信した伝送信号５２をOH Term１２０へ出力するとともに、受信した伝送信号５２の指定された領域Ｈｉに含まれる監視パラメータを終端させずに通過処理する。
【００６１】
以上、設定S１の監視区間で見ると、光伝送装置１００設定b、c及びdが伝送信号５２上の指定された領域Ｈの保守情報の通過処理を行う中継光伝送装置１００となり、光伝送装置１００a又はeが指定された監視パラメータの生成挿入を行う監視の始点となる光伝送装置１００となり、さらに信号上の指定された領域Ｈの監視パラメータの終端を行う監視の終点となる光伝送装置１００となる。また、設定S２、Ｓ３及びＳ４の監視区間も同様に設定される。
【００６２】
従って、S２の監視区間で見ると、光伝送装置１００設定cが中継光伝送装置１００となり、光伝送装置１００b及びdが監視の始点及び始点となる光伝送装置１００となる光伝送装置１００となる。設定S３（監視方向が一方向監視方式）の監視区間で見ると、光伝送装置１００eが中継光伝送装置１００となり、光伝送装置１００dが監視の始点となる光伝送装置１００となり、光伝送装置１００fが監視の終点となる光伝送装置１００となる。設定S４の監視区間で見ると、光伝送装置１００設定b、c及びd中継光伝送装置１００となり、光伝送装置１００a及びeが監視の始点及び終点となる光伝送装置１００となる。
【００６３】
４）以上のように指示信号５１を受けた光伝送装置１００各々は、伝送信号５２上の指定の領域Ｈに含まれる監視パラメータをモニタすることにより、監視の結果５３を生成する。生成された監視の結果５３は、光伝送網管理装置１０に送信する。なお、各監視区間の監視の終点となる光伝送装置１００が、それぞれ設定された監視区間ごとに、伝送信号５２上の指定の領域Ｈに割当てられた監視パラメータに基づき監視監視の結果５３を集計し、この集計された監視の結果５３を光伝送網管理装置１０に送信する構成でもよい。ここでいう監視の結果５３とは、たとえば、監視情報５０を含む監視パラメータを生成して挿入する際、エラー数を監視する場合はエラー検出コード、例えば偶パリティビット（いわゆるＢＩＰパリティ）や、巡回符号のチェックビット（いわゆるＣＲＣビット）や、あるいはエラー訂正符号のチェックビットを指定の領域Ｈｉ内の領域Ｈに挿入し、対向の監視する側でこのエラー検出コードをチェックすることにより該当監視区間で発生したエラー数を検出することができる。なお、エラーレートを監視する場合はエラー数にもとづいて計算すればよい。
【００６４】
このように、光伝送網管理装置１０は、オペレーターにより入力された監視区間（設定S１〜S４）ごとに指定された監視情報５０に従い、監視区間内に含まれる光伝送装置１００各々に対して、伝送信号５２上の指定された領域Ｈ１〜Ｈｓに対して、指定された監視パラメータを用いた監視処理を実行するように指示信号５１を送信する。そして、この指示信号５１の送信を受けた光伝送装置１００各々が、指示信号５１に従って、指定された監視処理を行う。
例えば、本実施例の光伝送装置１００eを例にとり、より詳細に監視処理の実施例を説明する。光伝送装置１００eは、設定S1の監視の始点及び監視の終点、設定S３の監視の中継点及び設定S４の監視の中継点である。
【００６５】
まず、設定S1の監視の始点及び監視の終点としての役割を果たす光伝送装置１００eについて説明する。
設定S1では、伝送信号５２上の特定の領域Ｈiを指定したとする。
【００６６】
光伝送装置１００eは、光伝送装置１００fから受信した伝送信号５２上の特定領域Ｈｉに、設定S１の監視項目情報により指定される監視パラメータを生成して挿入して、該監視パラメータを挿入した伝送信号５２を光伝送装置１００dへ送信する。
【００６７】
また、光伝送装置１００eは、光伝送装置１００dから受信した伝送信号５２の特定領域Ｈｉに含まれる監視パラメータを抽出して指定されたモニタ処理を行った後、モニタ処理した監視パラメータをEXT１２２へ格納する。さらに、EXT１２２に格納された監視パラメータを演算・加工することにより、設定S１の監視区間に対する監視の結果５３集計し、その監視の結果５３を光伝送網管理装置１０に送信する。
【００６８】
次に設定S３及び設定S4の監視の中継点としての役割を果たす光伝送装置１００eについて説明する。
設定S３では、伝送信号５２上の特定の領域Ｈjを指定し、設定S４では、伝送信号５２上の特定の領域Ｈkを指定したとする。
【００６９】
光伝送装置１００eは、光伝送装置１００d又はfから受信した伝送信号５２の特定領域Ｈj及び Hkに含まれる監視パラメータを終端させずに通過処理する。尚、通過処理する場合に、特定領域Ｈj又は Hkに含まれる監視パラメータをモニタ処理等その他設定S３又設定４に指定された処理を行ってもよい。
【００７０】
以上、本実施例の光伝送装置１００は、指定された監視区間の各々についての監視の始点、終点又は中継点としての役割を担うことより、たとえ、一の光伝送装置１００が複数の監視区間の対象となる場合であっても、監視区間ごとの監視処理した結果を集計することができ、監視区間各々の監視処理が実行される。
オペレーターは、監視情報５０の変更により、随時新たな監視情報５０を光伝送網管理装置１０に入力することができ、光伝送システムは、入力された監視情報５０に基づき、指定された監視処理を行うことができる。また、オペレーターが新たな監視情報５０の設定を光伝送網管理装置１０に行った場合は、監視の対象となる光伝送装置１００が指定される監視処理ができる状態に制御されたことを光伝送網管理装置１０へ通知し、すべての監視の対象となる光伝送装置１００が指定される監視処理ができる状態になった場合には、光伝送網管理装置１０は、対象となる光伝送装置１００に対してその旨を通知する。通知を受けた光伝送装置１００は、通知と同時に又はオペレーターの開始の条件により新たな設定による監視処理を開始する。
【００７１】
オペレーターによる新たな設定がされるまでは、各光伝送装置１００はそれ以前に受けた指示信号５１に従い上述した処理動作を継続する。
【００７２】
また、前記指示信号５１は、光伝送路１４を介して伝送する伝送信号５２の特定の領域Ｈに対して指定の監視パラメータの挿入することと、特定された領域Ｈに挿入した監視パラメータを終端すべき光伝送装置１００を特定するための終端点情報を生成し伝送信号５２上の特定のバイトに該終端点情報を挿入することとを指示する信号としてもよい。ここで、特定領域Ｈに含まれる監視パラメータを終端処理すべき光伝送装置１００を特定する終端点情報を挿入する特定のバイトの位置は、光伝送網管理装置１０が、監視情報５０が入力されるごとに動的に決定し、決定したこの特定バイトの位置を伝送信号５２上で特定できるようにするため、監視の対象となる光伝送装置１００各々へ特定バイトの位置を通知する。この場合、指示信号５１を受信した監視の始点となる光伝送装置１００は、指定された特定領域Ｈに指定された監視パラメータを挿入し、さらに、監視の終点となる光伝送装置１００を特定するための終端点情報を特定のバイトに挿入する。伝送信号５２を受信した光伝送装置１００は、終端点を特定するための終端点情報を挿入した特定のバイトを特定し、特定のバイトに挿入された終端点情報を解釈し、自らが監視の終点となる光伝送装置１００かを判断する。自らが監視の終点となる光伝送装置１００かを判断する手段としては、例えば、監視の始点となる光伝送装置１００は、特定のバイトに中継する必要がある光伝送装置１００の数を挿入し、監視の中継となる光伝送装置１００は、特定バイトに含まれるバイトの値を１減少させた値に入れ替えるようにし、バイトの値を１から０に入れ替える光伝送装置１００は、指定された領域Ｈの監視パラメータを抽出し、終端処理することことを予め定めることにより行う。
【００７３】
伝送信号５２を受信した光伝送装置１００自身が、終点となる光伝送装置１００であると判断した場合には、指定された領域Ｈに含まれる監視パラメータを抽出し、終端処理する。
【００７４】
以上、光伝送網管理装置１０は、指定された監視区間のうち、少なくとも監視の視点となる光伝送装置に対して、指示信号を送信すれば、指定された監視区間の監視処理を実行することもできる。なお、光伝送網の網トポロジー（リング、メッシュ、リニヤ、スター、及びこれらの複合形態）の如何に関わらず、監視したい１個の監視区間を切り出して見た場合は必ず図１の構成の如く２個の光伝送装置間の対向となる為、前記の実施例１は光伝送網の網トポロジーに依存しない。
【００７５】
図１１は、本実施例の光伝送システムを用いて、光伝送区間提供サービスを運用するための光伝送システムの全体構成図を示す。
光伝送網を管理・保守・運用する網業者は、その伝送区間の一部をユーザに貸渡す。また、その使用料金は、貸渡した伝送区間ごとに、光伝送網管理装置１０の課金処理部１４により課金処理され、ユーザへ請求する。
【００７６】
本実施例の光伝送システムは、図１に示す光伝送システムの構成と、伝送区間を貸渡したユーザ（別の網業者も含む。以下同じ。）が保持する端末２００とを有する。
端末２００は、貸渡した伝送区間の両端の光伝送装置１００と接続用通信回線を介して伝送網と接続されている。
【００７７】
図１２に、本実施例である光伝送システムを用いた、光伝送区間提供サービスの運用手順を示す。
本実施例の光伝送網管理装置１０は、伝送区間の提供を受けたユーザが保持する端末２００等からの監視処理に関する監視項目等の内容に関する設定・変更の要求を受けることができ、監視の対象となる光伝送装置１００に対して送信する指示信号５１を生成する
１）まず、光伝送網管理装置１０は、伝送区間の提供を受けたユーザが保持する端末２００からの監視処理に関する監視項目等の内容に関する設定・変更の要求を受け付ける（S１２０１）。
【００７８】
２）光伝送網管理装置１０は、設定・変更の要求要求に応じて、例えば図３に示す監視したい監視項目等の監視情報５０を入力させるための監視入力テーブルを端末２００へ送信する（S１２０２）。
【００７９】
３）端末２００は、受信した監視入力テーブルと入力ステップ等の指示内容を出力部２０１に出力する。尚、受信した監視入力テーブルは編集してもよい。
ユーザは、その出力された指示内容に従い、必要な監視情報５０を端末２００に、GUI等により入力する。端末２００に入力された監視情報５０は、光伝送網管理装置１０へ送信される（S１２０３）。
【００８０】
４）光伝送網管理装置１０は、入力された監視情報５０に基づき、監視区間に含まれる監視対象となる光伝送装置１００と、監視処理に用いるための伝送信号５２上の領域Ｈと、指定された監視項目とを特定する。
【００８１】
光伝送網管理装置１０は、監視の対象となる光伝送装置１００に対して、指定された監視処理を実行させるための指示信号５１を生成し、各光伝送装置１００に送信する（S１２０４）。
【００８２】
５）光伝送装置１００各々は、受信した指示信号５１に基づいて、指定された監視処理を実行するようにXC／ADM１３０及びOH Term１２０を制御する。
制御状態が整った光伝送装置１００は、光伝送網管理装置１０へ、その旨を通知する（S１２０５）。
光伝送網管理装置１０は、その通知により、監視区間の指示信号５１を送信した光伝送装置１００のすべてが制御状態が整った後に、それら光伝送装置１００へ制御状態完了通知を行う（S１２０６）。
【００８３】
６）光伝送装置１００は、光伝送路１４を介して伝送信号５２を受信した場合に、指示された監視処理を行う。光伝送装置１００は、監視の結果５３（たとえば、エラー数やエラーレート）を光伝送網管理装置１０へ送信する（S１２０７）。
【００８４】
７）光伝送網管理装置１０の監視処理部は、貸渡した伝送区間ごとの通信料金を課金処理し記録し、貸渡した伝送区間ごとに各々の監視の結果５３に基づいて行う通信料金の課金処理を行う。通信料金は、例えば、貸した期間、通信回線の使用時間、単位時間当たりの通信回線の使用比率、貸した伝送区間の区間距離又はこれらの組み合わせ等の条件に基づいて決定する。
光伝送網管理装置１０は、貸渡した伝送区間ごとに各々の監視の結果５３に基づいて決定された請求金額をユーザーの端末２００に送信する（S１２０８）。端末２００は、受信した請求金額を出力画面等に出力する。
【００８５】
図１３は、貸渡した伝送区間ごとに各々の監視の結果５３に基づいて、通信料金の課金処理を行う手順示すフローチャートである。
【００８６】
１）オペレーターは、貸渡した伝送区間ごとに、課金処理の基準とするための監視の結果５３の閾値を入力する（S１３０１）。監視の結果５３の閾値は、貸渡した伝送区間ごとに、複数個設定してもよい。例えば、通信料金を通信品質に応じて課金処理する方法を採用する場合には、課金処理の基準となる監視の結果５３の閾値を、劣化基準を示す通信品質を採用し、さらに通信品質の劣化基準を段階的に複数採用してもよい。尚、課金処理の基準とする監視の結果５３の閾値は、複数バリエーションを持たせ、ユーザが選択できるようにしてもよい。
【００８７】
２）光伝送網管理装置１０は、貸した伝送区間の通信品質示す監視の結果５３と課金処理の基準となる閾値とを比較して、通信品質の劣化を判定する（S１３０２）。尚、劣化の判定は、貸した監視区間にて警報（信号断、伝送信号５２同期はずれ、上流光伝送装置１００迄での障害を示す所定の警報、あるいはバックワードの障害警報等）を受信した場合に劣化と判定してもよい。
【００８８】
３）光伝送網管理装置１０は、判定の結果に基づいて課金処理を行う（S１３０３）。通信品質が劣化したと判定した場合には、通信料金から、網業者ＸとユーザＹとの間で課金処理基準として予め定められた所定の金額、通信料金の一定比率分の金額又はタイマにより測定された通信品質の劣化時間応じた金額等を減額した料金を請求料金として記録部に記録する。
【００８９】
４）光伝送網管理装置１０は、記録された請求料金額を一定期間経過ごとに、ユーザが保持する端末２００へ送信する（S１３０４）。請求料金額を受信した端末２００は、ユーザが見れるように出力部２０１に出力する。尚、請求料金額と同時に、課金処理の基準とされた監視の結果５３の閾値と監視処理した結果をユーザが保持する端末２００に送信し、端末２００は出力してもよい。
【００９０】
以上、本実施例である伝送システムを用いた光伝送区間提供サービスを用いることにより、複数の貸渡した伝送区間ごとに、監視処理した結果を集計でき、リアルタイムに変化する通信品質に応じた価格請求が可能となり、ユーザーに対して複数の伝送区間を貸渡すサービスの提供をすることができる。
【００９１】
【発明の効果】
本実施例である光伝送システムにより、光伝送網の任意の複数の監視区間をフレキシブルに設定又は変更することが可能で、その各々の通信品質を同時に監視可能な光伝送システムを提供することができる。
また、本実施例である光伝送区間提供サービスにより、複数ぼ伝送区間をユーザーに課し渡すことができるサービスの提供が可能である。
【図面の簡単な説明】
【図１】本実施例である光伝送網の光伝送システム示す構成図である。
【図２】本実施例である光伝送網管理装置を示す構成図である。
【図３】本実施例である監視情報５０を示したものである。
【図４】光パスの監視区間と光パスを簡略的に図式化したものである。
【図５】本実施例である光伝送網を構成する光伝送装置１００（光型XC／ADMタイプ）を示す構成図である。
【図６】本実施例である光伝送網を構成する光伝送装置１００（電気型XC／ADMタイプ）を示す構成図である。
【図７】本実施例である光伝送網を構成する光伝送装置１００（中継専用タイプ）を示す構成図である。
【図８】本実施例である光伝送網管理装置による光伝送装置１００へ監視処理の指示の実行手順を示すフローチャートである。
【図９】本実施例である光伝送装置１００の制御部１１０による監視処理の設定手順を示すフローチャートである。
【図１０】本実施例である光伝送装置１００による監視処理及び伝送信号５２の回線交換の実行手順を示すフローチャートである。
【図１１】本実施例である光伝送区間提供サービスに用いる光伝送システムの全体構成図である。
【図１２】本実施例である光伝送区間提供サービスの実行手順を示すフローチャートである。
【図１３】本実施例である課金処理の実行手順を示すフローチャートである。
【符号の説明】
１０光伝送網管理装置、１１監視情報入力部、１２出力部、１３指示信号送信器、１４課金処理部、４０光伝送路、５０監視情報、５１指示信号、５２伝送信号、５３監視の結果、１００光伝送装置（光型XC／ADMタイプ）、１０１光伝送装置（電気型XC／ADMタイプ）、１１３光伝送装置（中継器専用タイプ）、１１０制御部、１２０OH Term、１２１SEL、１２２EXT、１３０XC／ADM、１４０DMUX、１４１MUX、１５０O／E、１５１E／O、１６０光伝送路ポート、１６０光伝送路ポート、２００ユーザの端末、２０１出力部、Ｈ伝送信号５２の指定の領域
【図１】
0004639496.tif 000002
【図２】
0004639496.tif 000003
【図３】
0004639496.tif 000004
【図４】
0004639496.tif 000005
【図５】
0004639496.tif 000006
【図６】
0004639496.tif 000007
【図７】
0004639496.tif 000008
【図８】
0004639496.tif 000009
【図９】
0004639496.tif 000010
【図１０】
0004639496.tif 000011
【図１１】
0004639496.tif 000012
【図１２】
0004639496.tif 000013
【図１３】
0004639496.tif 000014